(57)【要約】      （修正有）【課題】作業効率がよく、しかも密封性が良好な電線シールパツキンを提供する。【解決手段】電線に接続された端子を収容するハウジング本体に嵌着されると共に、電線貫通孔１を設けてなる電線シールパツキンにおいて、該電線貫通孔の一部が二つ割り状に形成され、それぞれの対向面に電線の半周部を嵌入する電線嵌入溝を形成した一対の割り型部分２と、残部が電線を挿入される電線挿入孔４を形成した一体型部分３であることを特徴とする。【選択図】図１
2008301659.tif 000002
【特許請求の範囲】
【請求項１】
電線に接続された端子を収容するハウジング本体に嵌着されると共に、電線貫通孔（１）を設けてなる電線シールパッキンにおいて、前記電線貫通孔（１）の一部が二つ割り状に形成され、それぞれの対向面に電線の半周部を嵌入する電線嵌入溝（４）を形成した一対の割り型部分（２）と、残部が電線を挿入される電線挿入孔（５）を形成した一体型部分（３）であることを特徴とする電線シールパッキン。
【請求項２】
前記割り型部分（２）と一体型部分（３）とが一体的に形成されていることを特徴とする請求項１記載の電線シールパッキン。
【請求項３】
前記割り型部分（２）が前記一体型部分（３）の前記電線挿入孔（５）を半周状に分割する第一の分割面（６）と前記電線挿入孔（５）を切断する方向の第二の分割面（７）とのより分割され、前記第一の分割面（６）と前記第二の分割面（７）とが連続した面を形成していることを特徴とする請求項１乃至２記載の電線シールパッキン。
【請求項４】
前記第二の分割面（７）シールが前記第一の分割面（６）に対し傾斜した傾斜面となっていることを特徴とする請求項１乃至３記載の電線シールパッキン。
【請求項５】
前記前記第一の分割面（６）及び前記第二の分割面（７）は、電線を挿通後、接着剤で接着されることを特徴とする請求項１乃至４記載の電線シールパッキン。
【請求項６】
前記割り型部分（２）の前記一体型部分（３）から分離された分離部材（８）は前記ハウジング本体に嵌着される際に、前記第一の分割面（６）間が押圧される締め代を備えていることを特徴とする請求項１乃至４記載の電線シールパッキン。
【請求項７】
前記電線貫通孔（１）が複数本あることを特徴とする請求項１乃至４記載の電線シールパッキン。
【発明の詳細な説明】
【技術分野】
【０００１】
本発明は、電線シールパッキンに関する。
また、本発明は、二部材間を密封するパッキンとして用いて有用な電線シールパッキンに関する。
【０００２】
更に、本発明は、防水コネクタからの漏洩を防止する電線シールパッキンに関する。
更にまた、本発明は、電線引き出し部の防水を良くする電線シールパッキンとして有効に用いられる。
【０００３】
特に、本発明は、金属端子をかしめたまま電線を通すのに好都合な電線シールパッキンに関する。
【背景技術】
【０００４】
従来、第二図に示す電線シールパッキンが知られている。
この種電線シールパッキンは、ゴム状弾性材製の本体１００に複数本の電線が通る電線貫通孔１０１が設けられている。
【０００５】
しかし、電線の外周面と電線貫通孔１０１内周面との密封性を確保するため、金属端子をかしめた状態で挿入することは出来ない。
そこで、やむなく、電線を電線シールパッキンに挿入後、金属端子をかしめなければならなかった。
【０００６】
このため、作業効率が悪かった。また、無理やり、金属端子をかしめた状態で、電線貫通孔１０１に挿入すると、本体１００が損傷して、密封性を損なう問題を惹起していた。
【０００７】
そこで、第三図に示す電線シールパッキンが提案された。
この種電線シールパッキンは、ゴム状弾性材製の本体１００が電線貫通孔１０１を中心で二つ割りにして、一対の割り型部分１０２、１０２を形成している。
そして、それぞれの対向面には、電線の半周部を嵌入する電線嵌入溝４００がそれぞれ形成されている。
【０００８】
この様に、電線シールパッキンを二分割にした場合は、第二図に示す電線シールパッキンの様な、電線を電線シールパッキンに挿入する際の問題は解消された。
しかし、電線シールパッキンを二分割しているため、分割面から、水、土砂等が浸入する問題が有った。
【０００９】
特に、二分割の合わせ面がずれた場合は、電線シールパッキン全体に漏洩箇所が発生します。
すなわち、電線と電線シールパッキンの間に限らず、電線シールパッキンと電線シールパッキンが嵌着されるハウジング本体との間でも漏洩が惹起します。
【００１０】
このため、第三図に示す電線シールパッキンを更に改良した、特開平１０−２８４１６８号公報に記載の電線シールパッキンが提案された。
しかし、二分割の合わせ面がずれた場合、電線シールパッキン全体に漏洩箇所が発生ししてしまう問題点は解決できなかった。
【００１１】
【特許文献１】特開平１０−２８４１６８号公報
【発明の開示】
【発明が解決しようとする課題】
【００１２】
しかしながら、上述した第二図に示す従来の電線シールパッキンでは、金属端子をかしめたまま電線を通すことは困難であつた。
このため、電線を電線シールパッキンに挿入後、金属端子をかしめなければならなかった。
【００１３】
このため、作業効率が悪かった。
また、無理やり、金属端子をかしめた状態で、電線貫通孔１０１に挿入すると、本体１００が損傷して、密封性を損なう問題を惹起していた。
この第二図に示す従来の電線シールパッキンの問題点を解消する為に、第三図に示す二分割方式の電線シールパッキンが知られている。
【００１４】
そして、この種電線シールパッキンは第二図に示す従来の電線シールパッキンに比べ、
電線を電線シールパッキンに挿入することは容易になった。
しかし、電線シールパッキンを二分割しているため、分割面から、水、土砂等が浸入する問題が有った。
特に、二分割の合わせ面がずれた場合は、電線シールパッキン全体に漏洩箇所が発生する問題を惹起していた。
【００１５】
本発明は、このような課題に鑑みてなされたものであり、作業性が良好で、かつ密封性も良好な電線シールパッキンを提供することを目的とする。
【００１６】
また、本発明は、良好なシール性能を維持しつつ、電線シールパッキンの挿入抵抗を低く抑えた電線シールパッキンを提供することを目的とする。
また、本発明は、電線シールパッキンの密封性能を低下させる事なく、シールパッキンの挿入抵抗を低減させた電線シールパッキンを提供することを目的とする。
【課題を解決するための手段】
【００１７】
本発明の電線シールパッキンは、電線に接続された端子を収容するハウジング本体に嵌着されると共に、電線貫通孔を設けてなる電線シールパッキンにおいて、該電線貫通孔の一部が二つ割り状に形成され、それぞれの対向面に電線の半周部を嵌入する電線嵌入溝を形成した一対の割り型部分と、残部が電線を挿入される電線挿入孔を形成した一体型部分であることを特徴とする。
【００１８】
本発明の電線シールパッキンによれば、割り型部分と一体型部分とが一体的に形成されているため、良好で安定したシール性能を発揮すると共に、取り扱いが容易である。
【００１９】
本発明の電線シールパッキンによれば、割り型部分が一体型部分の電線挿入孔を半周状に分割する第一の分割面と電線挿入孔を切断する方向の第二の分割面とのより分割され、第一の分割面と第二の分割面とが連続した面を形成していることから、良好で安定したシール性能が期待できる。
【００２０】
本発明の電線シールパッキンによれば、第二の分割面が第一の分割面に対し傾斜した傾斜面となっていることにより、分割面における良好な密封性能が期待できる。
【００２１】
本発明の電線シールパッキンによれば、第一の分割面及び第二の分割面は、電線を挿通後、接着剤で接着される構成とすることにより、分割面からの漏洩を確実に防ぐことが出来る。
【００２２】
本発明の電線シールパッキンによれば、割り型部分の一体型部分から分離された分離部材はハウジング本体に嵌着される際に、第一の分割面間が押圧される締め代を備えているため、分割面からの漏洩を確実に防ぐことが出来る。
【００２３】
本発明の電線シールパッキンによれば、電線貫通孔が複数本あるものにおいて、特に有効である。
【発明の効果】
【００２４】
本発明は、以下に記載されるような効果を奏する。
【００２５】
請求項１記載の発明の電線シールパッキンによれば、金属端子をかしめたまま電線を電線シールパッキンに挿入できる、作業性が良好で、密封性を損なうことのない電線シールパッキンを提供することを目的とする。
【００２６】
また、請求項２記載の発明の電線シールパッキンによれば、良好で安定したシール性能を発揮すると共に、取り扱いが容易である。
更に、請求項３記載の発明の電線シールパッキンによれば、良好で安定したシール性能が期待できる。
【００２７】
更にまた、請求項４記載の発明の電線シールパッキンによれば、分割面における良好な密封性能が期待できる。
また、請求項５記載の発明の電線シールパッキンによれば、分割面からの漏洩を確実に防ぐことが出来る。
【００２８】
また、請求項６記載の発明の電線シールパッキンによれば、分割面からの漏洩を確実に防ぐことが出来る。
また、請求項７記載の発明の電線シールパッキンによれば、電線貫通孔が複数本あるものにおいて、特に有効である。
【発明を実施するための最良の形態】
【００２９】
以下、本発明を実施するための最良の形態について説明する。
第１図に基づき発明を実施するための最良の形態について説明する。
【００３０】
本発明に係る電線シールパッキンは、電線に接続された端子を収容するハウジング本体（図示せず）に嵌着される。
そして、この電線シールパッキンには、電線貫通孔１が設けられている。
この電線シールパッキンは、電線貫通孔１の一部が二つ割り状に形成されている。
【００３１】
すなわち、電線シールパッキンは、それぞれの対向面に電線の半周部を嵌入する電線嵌入溝４を形成した一対の割り型部分２と、残部が電線を挿入される電線挿入孔５を形成した一体型部分３とから構成されている。
【００３２】
そして、この割り型部分２と一体型部分３とは、一体的に形成されている。
すなわち、割り型部分２が一体型部分３の電線挿入孔５を半周状に分割する第一の分割面６と電線挿入孔５を切断する方向の第二の分割面７とのより分割され、第一の分割面６と第二の分割面７とが連続した面を形成している。
【００３３】
そして、第二の分割面７が第一の分割面６に対し傾斜した傾斜面となっている。
この第一の分割面６及び第二の分割面７は、電線を挿通後、接着剤で接着される。その後、ハウジング本体に設けた、取り付け孔に挿入される。
【００３４】
この際、電線シールパッキンは取り付け孔に対し一定の締め代が設けられ入るため、電線シールパッキンの外周面と取り付け孔内周面との間から、土砂等が浸入することはない。
接着剤は、ＦＩＰＧ等を適宜選択して用いる。
【００３５】
割り型部分２の一体型部分３から分離された分離部材８は、ハウジング本体に嵌着される際に、第一の分割面６間が押圧される締め代を備えている。
【００３６】
そして、通常は電線貫通孔１が複数本ある。
電線貫通孔１の内径は、これを貫通する電線の外径より小さく設計されている。
このことにより、電線と電線貫通孔１との間に、土砂等が侵入するのを効果的に防止できる。
【００３７】
特に、本発明に係る電線シールパッキンは、電線貫通孔１が複数本ある場合に、特に効果を発揮する。
また、本発明は上述の発明を実施するための最良の形態に限らず本発明の要旨を逸脱することなくその他種々の構成を採り得ることはもちろんである。
【図面の簡単な説明】
【００３８】
【図１】電線シールパッキンにかかる発明の実施の形態を示す斜視図である。
【図２】電線シールパッキンにかかる従来技術を示す斜視図である。
【図３】電線シールパッキンにかかる他の従来技術を示す斜視図である。
【符号の説明】
【００３９】
１‥‥電線貫通孔
２‥‥割り型部分
３‥‥一体型部分
４‥‥電線嵌入孔
５‥‥電線挿入孔
６‥‥第一の分割面
７‥‥第二の分割面
８‥‥分離部材
【図１】
2008301659.tif 000003
【図２】
2008301659.tif 000004
【図３】
2008301659.tif 000005